(57)【要約】【課題】特に面倒な手間をかけること無く、住環境の向上を達成することが可能な多目的ボードを提供すること。【解決手段】各種広告等を展示するために用いられる多目的ボードであって、ボード本体２と、ボード本体２に支持されたボードフィルム３と、少なくとも前記ボードフィルム３の表面に形成した珪藻土層４と、を具備したことを特徴としており、これにより、珪藻土層６の効果により、吸放湿機能、分解、消臭効果、抗酸化作用を発揮して、室内等の湿度を自動的に調節するとともに、室内に漂う化学物質や悪臭を分解、消臭し、更に、室内等の活性酸素を無くするとともに化学物質や静電気などのプラスイオンを中和、除去し、室内等を自然界のマイナスイオン優位の空気の雰囲気にするため、多目的ボードを室内や展示会場等における自社ブースに置いておくことのみで住環境を良くすることができる。【選択図】図２
0003132595.tif 000002
【実用新案登録請求の範囲】
【請求項１】
各種広告等を展示するために用いられる多目的ボードであって、
ボード本体（２）と、
該ボード本体（２）の表面に形成した珪藻土層（４）と、を具備したことを特徴とする多目的ボード。
【請求項２】
各種広告等を展示するために用いられる多目的ボードであって、
ボード本体（２）と、
該ボード本体（２）に支持されたボードフィルム（３）と、
少なくとも前記ボードフィルム（３）の表面に形成した珪藻土層（４）と、を具備したことを特徴とする多目的ボード。
【考案の詳細な説明】
【技術分野】
【０００１】
本考案は各種広告等を展示するため等に用いられる多目的ボードに係り、より詳しくは、ボード本体の表面に珪藻土層を形成してなることを特徴とする多目的ボードに関する。
【背景技術】
【０００２】
従来から、家庭内等において各種のメモや写真、カタログ等を係止するものとして多目的ボードが用いられており、例えばこのボードとしては、メモ、写真等を画鋲等で係止するコルクボードや、磁石等によってメモ、写真等を係止可能としたホワイトボード等が存在している。
【０００３】
また、そのほか、商品広告の手法等の一つとして、展示会場等で製品カタログ等を係止するためにこれらのボードが用いられることもある。そして、従来から提供されているボードは、一般的に、コルクや発泡スチロール、あるいは金属板等により形成される板状のボードから構成されており、このボードに各種のメモや写真、自社商品のカタログ等を係止し、それとともに、このボードを所望する箇所等に設置して、これにより伝言、備忘、あるいは自社商品の広告宣伝を行なうことを可能にしている。
【考案の開示】
【考案が解決しようとする課題】
【０００４】
ところで、近年、住環境の向上を目的として、室内等に除湿材、消臭剤、芳香剤あるいは空気清浄機等を室内に配置するとともに、更には観葉植物等を置くことが行われているが、このように、室内に除湿材、消臭剤、芳香剤あるいは空気清浄機等を置いた場合にはその交換やメンテナンスが面倒であり、更に観葉植物等を置いた場合には世話が大変である。
【０００５】
また、例えば各種展示会場等における自社ブース内の環境を向上させるために、除湿材、消臭剤、芳香剤あるいは空気清浄機等、更には観葉植物等を自社ブース内に配置することも行われているが、かかる場合においても、それらの交換やメンテナンスが大変であるという問題点がある。
【０００６】
そこで、本考案は、各種の用途に用いられる多目的ボードの存在に着目し、特に面倒な手間をかけること無く、住環境の向上を達成することが可能な多目的ボードを提供することを課題としている。
【課題を解決するための手段】
【０００７】
従来から火に強い土として珪藻土が知られており、この珪藻土は七輪、コンロ、耐火性レンガの原料として用いられているが、この珪藻土は耐火性の他に、吸放湿機能が大きいとともに自律的に呼吸するために半永久的に調湿機能を発揮することが知られており、またその他、生活臭や有害物質を吸着、脱臭する働きがあることも知られている。  そこで、本考案者は、珪藻土のこの性質に着目して、この珪藻土を具備した多目的ボードを考案した。
【０００８】
即ち、本考案の多目的ボードは、各種広告等を展示するために用いられる多目的ボードであって、ボード本体と、該ボード本体の表面に形成した珪藻土層と、を具備したことを特徴としている。
【考案の効果】
【０００９】
周知の通り、珪藻土は、８００万年前の植物性プランクトン（珪藻）が化石化したものであり、その特性としては、前述のように、耐火性の他に、吸放湿効果、分解消臭効果、抗酸化作用等を有している。そのために、珪藻土層をボード本体の表面に形成した本考案の多目的ボードは、珪藻土の分解消臭効果、抗酸化作用等により、この多目的ボードを室内や展示会場等における自社ブースに置いておくことのみで、特に除湿材、消臭剤、芳香剤あるいは空気清浄機、更には観葉植物等を置いておくことなく、室内等における住環境を良くする効果を発揮できる。
【考案を実施するための最良の形態】
【００１０】
本考案の多目的ボードでは、ボード本体を備えており、このボード本体の表面には、珪藻土を塗布することにより形成した珪藻土層を具備している。
【００１１】
ここで、ボード本体にボードフィルムを支持し、少なくともこのボードフィルムにおける表面に珪藻土を塗布して珪藻土層を形成してもよい。
【実施例１】
【００１２】
本考案の多目的ボードの実施例について図面を参照して説明すると、図１は、本実施例の多目的ボードを示す斜視図であり、また、図２は本実施例の多目的ボードの縦断側面図、図３は本実施例の多目的ボードの横断平面図であり、図において１が本実施例の多目的ボードである。
【００１３】
そして、本実施例の多目的ボード１は、全体として四角形状の板状としたボード本体２を備えており、このボード本体２としては、例えば発泡スチロール製のボードを用いるとよいが、その他、樹脂製、金属製、木製等の素材によりボード本体２を形成してもよい。
【００１４】
そして、前記ボード本体２の一方の面には、その全面に亘って、布、紙、樹脂製フィルム等により成るボードフィルム３が貼着されている。なお、ボードフィルム３の素材に関しては特に限定はされず、いずれの素材を用いてもよく、ボード本体２の全面を樹脂等によりコーティング等してボードフィルムとしてもよい。また、ボードフィルム３は必ずしも必要なものではない一方、ボードフィルムを用いる場合には、ボード本体２の一方の面のみならず、一方の面及び他方の面に貼着してもよい。
【００１５】
次に、図において４は珪藻土層である。即ち、本実施例における多目的ボード１では、前記ボードフィルム３の露出面と、前記ボード本体２の左右の側面、上面、下面に珪藻土層６を形成し、これにより、この珪藻土層６より、多目的ボード１に室内等における住環境を良くする効果を持たせている。
【００１６】
即ち、珪藻土は吸、放湿機能が大きいとともに自律的に呼吸するために半永久的に調湿機能を発揮することができる。そのために、この珪藻土層を備えた本実施例の多目的ボードでは、室内等の余分な湿気を吸収し、室内等の湿度を自動的に調節することができる。
【００１７】
また、珪藻土には分解、消臭効果があり、化学物質や悪臭物質を分解することができるために、この珪藻土層を備えた本実施例の多目的ボードでは、室内等に漂う化学物質や悪臭を分解、消臭するとともに、備長炭等の機能である「吸着消臭」と異なり「分解消臭」であるために永久的に効果を持続することができる。特に展示会場等においては多数の人が出入りしており、人体に悪影響を与える物質等が多数浮遊しているため、本考案の多目的ボードが備える珪藻土層の効果が有効に発揮される。
【００１８】
更に、珪藻土は抗酸化作用を有しており、周囲の湿気を「高い抗酸化作用を持つ湿気」に変えて老化や病気の元である活性酸素をほとんど無くし、更に化学物質や静電気などのプラスイオンを中和、除去し、その結果、人や犬、猫などのペット、植物の健康にとって欠かせない「自然界のマイナスイオン優位の空気」を作り出し、このマイナスイオン優位の空気は、免疫力の向上、生体機能の正常化、リラックス効果などをもたらす。そのために、ボードフィルム等に珪藻土層を形成した本実施例の多目的ボード１では、これを室内等に置いておくことのみで、室内等を自然界のマイナスイオン優位の空気の雰囲気にすることができる。
【００１９】
このように、本実施例の多目的ボード１では、ボードフィルム３の露出面とボード本体２の左右側面、上面、下面に珪藻土層４を形成しているために、この珪藻土層４の作用により、特に除湿材、消臭剤、芳香剤あるいは空気清浄機、更には観葉植物等を室内等に置くことなく、多目的ボード１を室内等に飾っておくことのみで室内や自社ブースの環境を向上させることができるという効果がある。
【００２０】
なお、前述の説明では、ボードフィルム３の露出面とボード本体２の左右の側面、上面、下面に珪藻土層４を形成した場合を説明したが、その他、更にボード本体の背面に珪藻土層を形成し、多目的ボードの全面を珪藻土層により被覆してもよい。
【００２１】
また、ボードフィルム３を用いない場合には、ボード本体２の全面あるいは正面側に珪藻土層４を形成してもよい。
【００２２】
更に、前記珪藻土層４の形成方法は特に限定されず、スクリーン印刷やコーター印刷によってボードフィルム３の表面等に珪藻土を塗布し、これにより珪藻土層６を形成するとよい。
【００２３】
更にまた、ボード本体２は板状の素材を用いて構成する必要は無い。例えば、図４は、本考案の多目的ボードの他の形態１１の縦断側面構造を示した図であり、この形態では、長尺状の枠材を四角形状に枠組みしてボード本体を構成している。そして、ボードフィルム３は、その周縁部がボード本体２における前記枠材に貼着あるいは係止する装着する構成でボード本体２に支持されており、このような構成としてもよい。
【００２４】
またその他、ボードフィルムが曲面になるようにしても良い。即ち、図５は本考案の多目的ボードの他の構成例を背面側から示した図であり、図５に示す多目的ボード２１では、樹脂等の変形可能な素材により構成された２本の長尺状かつ湾曲させた枠材２２０１を一定の間隔を置いて略平行に配置するとともに、この枠材２２０１を連結材２２０２で支持してボード本体２２を構成し、このボード本体２２にボードフィルム２３の上下の周縁部を係止し、更に、前記ボード本体２２の下端部には脚部２４を連設し、前記ボードフィルム２３の表面に珪藻土層を形成している。そのため、これによれば、ボードフィルム２３を見ることが可能な範囲が広角度に亘るという利点があり、例えばこの多目的ボード２１を展示会場等における自社ブースのコーナー部に配置した場合には、コーナー部を曲がっていく人は、曲がりながら継続して多目的ボードを見ることができ、その者に対して強い印象を与えることが可能となる。
【産業上の利用可能性】
【００２５】
本考案の多目的ボードでは、ボード本体の表面又はこのボード本体に支持されたボードフィルムの表面に珪藻土層を形成しており、これにより、多目的ボードを置いておくのみで、室内等の住環境を良くすることができるために、各種のメモや製品カタログ等を係止可能としたボード全般に適用可能である。
【図面の簡単な説明】
【００２６】
【図１】本考案の多目的ボードの実施例を示す斜視図である。
【図２】本考案の多目的ボードの実施例の縦断側面を示す図である。
【図３】本考案の多目的ボードの実施例の縦断平面を示す図である。
【図４】本考案の多目的ボードの他の構成例の縦断側面を示す図である。
【図５】本考案の多目的ボードの更に他の構成例の背面側斜視図である。
【符号の説明】
【００２７】
１、１１、２１    多目的ボード
２、２２    ボード本体
２２０１    枠材
２２０２    連結部材
３、２３    ボードフィルム
４    珪藻土層
２４    脚部
【図１】
0003132595.tif 000003
【図２】
0003132595.tif 000004
【図３】
0003132595.tif 000005
【図４】
0003132595.tif 000006
【図５】
0003132595.tif 000007